(57)【要約】【課題】電力需要データを用いた処理の連携性を向上させる。【解決手段】詳細度判定部１０２は、詳細度形式データＤ２に基づいて、電力需要シミュレータ１０６で生成された電力需要データセットＤ１から詳細度データセットＤ３を算出し、データ詳細度変換部１０３は、電力需要データセットＤ１の詳細度が、電力系統シミュレータ１０５でのシミュレーションに要求される詳細度に一致するように変換後電力需要データセットＤ４を算出し、通知部１０４は、変換後電力需要データセットＤ４が示す詳細度変換結果を表示し、変換後電力需要データセットＤ４を電力系統シミュレータ１０５に通知する。【選択図】図１
2020089067.tif 000002
【特許請求の範囲】
【請求項１】
電力需要データの情報量の多さを表す度合に基づいて詳細度が定められた詳細度形式に基づいて、前記電力需要データの詳細度を判定する詳細度判定部と、
前記判定部で判定された前記電力需要データの詳細度を、要求される電力需要データの詳細度に一致させる詳細度変換部とを備えるデータ処理装置。
【請求項２】
前記詳細度形式は、前記情報量に基づいて規定した詳細度の分類と、前記分類された詳細度が有する属性との対応を表す請求項１に記載のデータ処理装置。
【請求項３】
前記詳細度変換部は、前記判定部で判定された前記電力需要データの詳細度を、前記電力需要データを用いたシミュレーションに要求される詳細度に一致させる請求項１に記載のデータ処理装置。
【請求項４】
前記判定部で判定された前記電力需要データの詳細度が、前記要求される電力需要データの詳細度に一致しない場合、
前記詳細度変換部は、
前記要求される電力需要データの詳細度に対して不足するデータ項目を補完し、余分なデータ項目を削除する請求項３に記載のデータ処理装置。
【請求項５】
前記詳細度変換部は、前記要求される電力需要データの詳細度に対して不足する詳細度の変換条件に基づいて、前記データ項目を補完する請求項４に記載のデータ処理装置。
【請求項６】
前記詳細度形式の詳細度がＮ（Ｎは２以上の整数）段階に渡って規定され、前記詳細度の段階ごとに前記電力需要データのデータ項目が規定されている請求項１に記載のデータ処理装置。
【請求項７】
第１段階の詳細度のデータ項目として需要量が規定され、
第２段階の詳細度のデータ項目として前記第１段階のデータ項目に加え、需要減少可能量と需要増加可能量が規定され、
第３段階の詳細度のデータ項目として前記第２段階のデータ項目に加え、需要減少変化可能量と需要増加変化可能量が規定され、
第４段階の詳細度のデータ項目として前記第３段階のデータ項目に加え、需要減少調整可能量と需要増加調整可能量が規定されている請求項６に記載のデータ処理装置。
【請求項８】
電力需要に関するシミュレーションを実施し、電力需要データを出力する電力需要シミュレータと、
前記電力需要シミュレータから出力された電力需要データに基づいて、電力需給に関するシミュレーションを実施する電力系統シミュレータと、
前記電力需要データの変換処理を実施するデータ処理装置とを備え、
前記データ処理装置は、
前記電力需要データの情報量の多さを表す度合に基づいて詳細度が定められた詳細度形式に基づいて、前記電力需要シミュレータから出力された前記電力需要データの詳細度を判定する詳細度判定部と、
前記判定部で判定された前記電力需要データの詳細度を、前記電力系統シミュレータから要求される電力需要データの詳細度に一致させる詳細度変換部とを備えるデータ処理システム。
【請求項９】
プロセッサにより実行されるデータ処理方法であって、
前記プロセッサは、
入力データの情報量の多さを表す度合に基づいて詳細度が定められた詳細度形式に基づいて、前記入力データの詳細度を判定し、
前記判定した前記入力データの詳細度を出力先で要求される詳細度に整合させるデータ処理方法。
【請求項１０】
前記プロセッサは、
シミュレーションに基づいて生成された前記入力データを取得し、
前記入力データの詳細度を前記シミュレーションとの連携に必要な詳細度に変換する請求項９に記載のデータ処理方法。
【発明の詳細な説明】
【技術分野】
【０００１】
本発明は、電力需要データを用いた処理を連携化することが可能なデータ処理装置、データ処理システムおよびデータ処理方法に関する。
【背景技術】
【０００２】
再生可能エネルギーの増加に伴い、電力需給の平衡を保つ需給調整力の確保が重要となっている。近年では、大規模な火力発電所などが担っていた出力調整による需給調整力が減少しているため、その代替として、電力需要の増減によって電力需給を調整するデマンドレスポンスなどの需要調整力が活用されるようになってきた。需要調整力を提供できる供給源として異種システム（電気自動車の交通システム、人流を活用した空調機システムなど）を含めた地域エネルギーマネジメントについて、需要調整力の適用効果を定量評価することが重要になっている。このようなシミュレーションに関する技術では、各シミュレータ間でデータの授受形式を予め規定し、シミュレーションを実施することが前提となっていた。
【０００３】
地域エネルギーマネジメントにおける監視制御に関する技術について、例えば、特許文献１に開示がある。特許文献１では、「装置からの監視データを受信し、監視データを送信してきた外部装置の情報に基づきこの監視データへの補正情報を算出し、算出結果を監視データに付加して補正後データとし、それに基づき、制御する前記外部装置を抽出し、抽出された前記外部装置に制御情報を送信する制御情報装置、制御情報システムおよび制御方法」を開示する。この特許文献１に開示された技術では、監視対象の既知特性に沿うようデータを補正して監視制御可能とする。
【０００４】
地域エネルギーマネジメントにおいて需要調整力を最大活用して運用計画を立案するためには、各システムについて統合的にシミュレーションすることが求められる。各シミュレータの解析結果を広く連携して解析するためには、シミュレーションの時間刻みの細かさ、調整力の種類および需要の発生位置などを一致させる必要がある。
【先行技術文献】
【特許文献】
【０００５】
【特許文献１】特開２０１３−６９０８４号公報
【発明の概要】
【発明が解決しようとする課題】
【０００６】
しかしながら、特許文献１に開示された技術では、電力需要データの内容が、電力系統シミュレータが要求する情報と一致しない場合には、用途や電力需要データの内容に応じてデータを補正することができず、シミュレータが連携できなかった。
【０００７】
本発明は、上記事情に鑑みなされたものであり、その目的は、電力需要データを用いた処理の連携性を向上させることが可能なデータ処理装置、データ処理システムおよびデータ処理方法を提供することにある。
【課題を解決するための手段】
【０００８】
上記目的を達成するため、第１の観点に係るデータ処理装置は、電力需要データの情報量の多さを表す度合に基づいて詳細度が定められた詳細度形式に基づいて、前記電力需要データの詳細度を判定する詳細度判定部と、前記判定部で判定された前記電力需要データの詳細度を、要求される電力需要データの詳細度に一致させる詳細度変換部とを備える。
【発明の効果】
【０００９】
本発明によれば、電力需要データを用いた処理の連携性を向上させることができる。
【図面の簡単な説明】
【００１０】
【図１】図１は、実施形態に係るデータ処理装置の構成を示すブロック図である。
【図２】図２は、図１の詳細度形式データの一例を示す図である。
【図３】図３は、図１のデータ処理装置のハードウェア構成の一例を示すブロック図である。
【図４】図４は、図１のデータ処理装置の詳細度形式整合処理を示すフローチャートである。
【図５】図５は、図４の詳細度判定処理を示すフローチャートである。
【図６】図６は、図４の詳細度変換処理を示すフローチャートである。
【図７】図７は、図１の詳細度データセットに対する変換条件の表示例を示す図である。
【図８】図８は、図３の表示デバイスに表示される詳細度補完条件の入力画面の一例を示す図である。
【図９】図９は、図３の表示デバイスに表示される変換後電力需要データの表示画面の一例を示す図である。
【図１０】図１０は、図３の表示デバイスに表示される詳細度の入力形式の表示画面の一例を示す図である。
【発明を実施するための形態】
【００１１】
実施形態について、図面を参照して説明する。なお、以下に説明する実施形態は特許請求の範囲に係る発明を限定するものではなく、また、実施形態の中で説明されている諸要素およびその組み合わせの全てが発明の解決手段に必須であるとは限らない。
【００１２】
図１は、実施形態に係るデータ処理装置の構成を示すブロック図である。
図１において、データ処理装置１００は、電力需要に関するシミュレーションに基づいて生成された電力需要データを取得し、電力需要データの詳細度（データ詳細度とも言う）を、当該シミュレーションとの連携に必要な詳細度に変換する。データ処理装置１００は、電力需要シミュレータ１０６および電力系統シミュレータ１０５に接続されている。
【００１３】
電力需要シミュレータ１０６は、電力需要に関するシミュレーションを実施し、電力需要データセットＤ１を出力する。電力需要データセットＤ１は、電力需要に関するデータセットである。「データセット」は、アプリケーションプログラムのようなプログラムから見た１つの論理的な電子データの塊であり、例えば、レコード、ファイル、キーバリューペアおよびタプルのうちのいずれでもよい。
【００１４】
電力需要データセットＤ１は、電力の需要に関する項目についての情報を含む。例えば、調整力の利用による需給制御シミュレーションを実行する場合に使用する調整力の項目としては、時間枠あたりの消費電力量、計画段階における増減可能な需要量である需要減少可能量および需要増加可能量、当日に需要調整指令がある際に増減可能な需要量である需要減少変化可能量および需要減少変化可能量、時間枠内において適宜需要調整指令を受ける際に出力を増減可能な需要量である需要減少調整可能量および需要増加調整可能量についての数値などが挙げられる。
【００１５】
また、例えば、配電系統における電流の容量範囲や配電系統の規定電圧範囲を維持するために需要を調整するというシミュレーションにおいて必要となる位置に関する情報の項目としては、配電系統において需要が電力線に接続される位置、どのエリアの変電所に属すのかを振り分けるための情報となる緯度経度の情報、どの配電線に接続されているか、電圧階級で連系しているかというデータなどが挙げられる。
【００１６】
また、例えば、各時系列データの時間間隔について、より間隔が短いほど詳細度が高くなるように定義してもよい。現行の取引単位の３０分間隔であってもよいし、将来を想定した数分間隔であってもよい。
【００１７】
電力系統シミュレータ１０５は、変換後電力需要データセットＤ４に基づいて、電力需給に関するシミュレーションを実施する。変換後電力需要データセットＤ４は、電力需要データセットＤ１の詳細度を、電力系統シミュレータ１０５でのシミュレーションに必要な詳細度に変換したデータセットである。変換後電力需要データセットＤ４は、例えば、電力需要データセットＤ１がシミュレーションの実行に必要な詳細度を満たさない場合、その電力需要データセットＤ１に対して情報の過不足を補うことによって得ることができる。
【００１８】
データ処理装置１００は、詳細度判定部１０１、データ詳細度変換部１０２、記憶部１０３および通知部１０４を備える。
【００１９】
詳細度判定部１０２は、詳細度形式データＤ２に基づいて、電力需要データセットＤ１から詳細度データセットＤ３を算出する。詳細度形式データＤ２は、電力需要データセットＤ１についての詳細度形式が定められたデータである。詳細度形式は、電力需要データの詳細度を規定することができる。詳細度は、電力需要データの情報量の多さを表す度合を規定することができる。各詳細度には、電力需要データに含まれるデータ項目を規定することができる。このとき、詳細度は、Ｎ（Ｎは２以上の整数）段階に渡って規定し、その詳細度の段階ごとに電力需要データのデータ項目を規定することができる。
【００２０】
例えば、詳細度形式データＤ２は、電力需要データが有する調整力に関する属性、データの時間間隔の大きさ、位置情報などの離散的な情報のうち、それぞれ予め情報量に基づいて規定した詳細度の分類と、それぞれの詳細度が有する属性の対応を表すことができる。詳細度に該当するための条件が複数ある場合には、いずれか１つを有すればよい。
【００２１】
図２は、図１の詳細度形式データの一例を示す図である。図２では、調整力に関する属性について、詳細度の概念の具体例を示した。
図２において、各時刻について、需要量のみの属性を持つ場合には詳細度１、需要減少可能量および需要増加可能量の属性のいずれか１つを有する場合には詳細度２、需要減少変化可能量および需要減少変化可能量のいずれか１つを有する場合には詳細度３、需要減少調整可能量および需要増加調整可能量のいずれか１つを有する場合には詳細度４に分類できる。
【００２２】
なお、図２の例では、詳細度形式データＤ２において、４段階に渡って詳細度を規定した場合を示したが、Ｎ（Ｎは２以上の整数）段階に渡って詳細度を規定するようにしてもよい。
【００２３】
図１に戻り、詳細度データセットＤ３は、電力需要データセットＤ１が詳細度形式データＤ２においてどの詳細度形式に該当するかを判定した結果を表すデータセットである。詳細度データセットＤ３は、電力系統シミュレータ１０５で用いられる電力需要データのデータ項目について算出された詳細度を示すことができる。
【００２４】
データ詳細度変換部１０３は、電力需要データセットＤ１と詳細度データセットＤ３に基づいて、変換後電力需要データセットＤ４を算出する。このとき、データ詳細度変換部１０３は、電力需要データセットＤ１の詳細度が、電力系統シミュレータ１０５でのシミュレーションに要求される詳細度に一致するように変換後電力需要データセットＤ４を算出する。例えば、データ詳細度変換部１０３は、電力系統シミュレータ１０５でのシミュレーションに要求される詳細度に対して不足するデータ項目がある場合、そのデータ項目を補完し、電力系統シミュレータ１０５でのシミュレーションに要求される詳細度に対して余分なデータ項目がある場合、そのデータ項目を削除する。
【００２５】
記憶部１０５は、入力データを含む各種データおよびプログラムを格納する。このとき、記憶部１０５は、電力需要データセットＤ１、詳細度形式データＤ２、詳細度データセットＤ３および変換後電力需要データセットＤ４を記憶することができる。通知部１０４は、変換後電力需要データセットＤ４が示す詳細度変換結果を表示したり、変換後電力需要データセットＤ４を電力系統シミュレータ１０５に通知したりする。
【００２６】
以上説明したように、データ処理装置１００は、詳細度形式データＤ２に基づいて、電力需要データセットＤ１の情報量の多さを表す度合である詳細度を算出し、その算出した詳細度に基づいて連携シミュレーションに必要な詳細度となるよう電力需要データセットＤ１を変換後電力需要データセットＤ４に変換して出力する。このため、複数のシミュレータ間でのデータの詳細度が一致しない場合においても、それらのシミュレータを組み合わせて電力系統の現象を数値解析するためのデータ変換作業を低減し、電力系統シミュレータの解析の負担を低減することができる。
【００２７】
データ処理装置１００は、例えば、需要調整力を提供できる供給源として異種システムを含めた地域エネルギーマネジメントに適用することができる。異種システムは、例えば、電気自動車の交通システムや、地下鉄、ビルまたはエレベータなどにおける人流を活用した空調機システムなどである。
【００２８】
なお、データ処理装置１００には、データ詳細度変換部１０３がなくてもよい。その場合、通知部１０４は、１つまたは複数の電力需要データについてそれぞれ判定された１つまたは複数のデータ詳細度に基づく通知として、例えば、複数の電力需要データと複数のデータ詳細度のリストの表示を採用してもよい。
【００２９】
データ処理装置１００は、１つ以上の計算機で構成されてよい。例えば、計算機が表示デバイスを有し、計算機が表示デバイスに情報を表示する場合、当該計算機がデータ処理装置１００であってもよい。また、例えば、第１計算機（例えば、サーバ）が表示用情報を遠隔の第２計算機（表示用計算機（例えば、クライアント））に送信し、表示用計算機がその情報を表示する場合（第１計算機が第２計算機に情報を表示する場合）、第１計算機と第２計算機とのうちの少なくとも第１計算機がデータ処理装置１００であってもよい。
【００３０】
データ処理装置１００における計算機が「表示用情報を表示する」ことは、計算機が有する表示デバイスに表示用情報を表示することであってもよいし、計算機が表示用計算機に表示用情報を送信することであってもよい（後者の場合は、表示用計算機によって表示用情報が表示される）。
【００３１】
データ処理装置１００は、インターフェースデバイス部、記憶部およびそれらに接続されたプロセッサ部を有してよい。また、データ処理装置１００は、クラウド基盤のような計算機リソースプール（例えば、インターフェースデバイス部、記憶部およびプロセッサ部）に基づき提供される仮想的な装置、または、ソフトウェアディファインドの装置でもよい。
【００３２】
「インターフェースデバイス部」は、１つ以上のインターフェースデバイスであってもよい。１つ以上のインターフェースデバイスは、下記のうちのいずれでもよい。
・Ｉ／Ｏ（Ｉｎｐｕｔ／Ｏｕｔｐｕｔ）デバイスと遠隔の端末計算機とのうちの少なくとも１つに対するＩ／Ｏインターフェースデバイス。表示用計算機に対するＩ／Ｏインターフェースデバイスは、通信インターフェースデバイスであってもよい。少なくとも１つのＩ／Ｏデバイスは、ユーザインターフェースデバイス、例えば、キーボードおよびポインティングデバイスのような入力デバイスと、表示デバイスのような出力デバイスとのうちのいずれであってもよい。
・１つ以上の通信インターフェースデバイス。１つ以上の通信インターフェースデバイスは、１つ以上の同種の通信インターフェースデバイス（例えば、１つ以上のＮＩＣ（Ｎｅｔｗｏｒｋ  Ｉｎｔｅｒｆａｃｅ  Ｃａｒｄ））であってもよいし、２つ以上の異種の通信インターフェースデバイス（例えば、ＮＩＣとＨＢＡ（Ｈｏｓｔ  Ｂｕｓ  Ａｄａｐｔｅｒ））であってもよい。
【００３３】
「記憶部」は、メモリ部とＰＤＥＶ部の少なくともメモリ部であってもよい。「メモリ部」は、１つ以上のメモリであり、典型的には主記憶デバイスであってもよい。メモリ部における少なくとも１つのメモリは、揮発性メモリであってもよいし、不揮発性メモリであってもよい。
【００３４】
「ＰＤＥＶ部」は、１つ以上のＰＤＥＶであり、典型的には補助記憶デバイスであってもよい。「ＰＤＥＶ」は、物理的な記憶デバイス（Ｐｈｙｓｉｃａｌ  ｓｔｏｒａｇｅ  ＤＥＶｉｃｅ）を意味し、典型的には、不揮発性の記憶デバイス、例えば、ＨＤＤ（Ｈａｒｄ  Ｄｉｓｋ  Ｄｒｉｖｅ）またはＳＳＤ（Ｓｏｌｉｄ  Ｓｔａｔｅ  Ｄｒｉｖｅ）である。
【００３５】
「プロセッサ部」は、１つ以上のプロセッサである。少なくとも１つのプロセッサは、典型的には、ＣＰＵ（Ｃｅｎｔｒａｌ  Ｐｒｏｃｅｓｓｉｎｇ  Ｕｎｉｔ）のようなマイクロプロセッサであるが、ＧＰＵ（Ｇｒａｐｈｉｃｓ  Ｐｒｏｃｅｓｓｉｎｇ  Ｕｎｉｔ）のような他種のプロセッサでもよい。少なくとも１つのプロセッサは、シングルコアでもよいし、マルチコアでもよい。少なくとも１つのプロセッサは、処理の一部または全部を行うハードウェア回路（例えばＦＰＧＡ（Ｆｉｅｌｄ−Ｐｒｏｇｒａｍｍａｂｌｅ  Ｇａｔｅ  Ａｒｒａｙ）またはＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ））といった広義のプロセッサであってもよい。
【００３６】
また、図１では、「ｋｋｋ部」（インターフェースデバイス部、記憶部およびプロセッサ部を除く）の表現にて機能を説明したが、機能は、１つ以上のコンピュータプログラムがプロセッサ部によって実行されることで実現されてもよいし、１つ以上のハードウェア回路（例えば、ＦＰＧＡまたはＡＳＩＣ）によって実現されてもよい。プログラムがプロセッサ部によって実行されることで機能が実現される場合、定められた処理が、適宜に記憶部および／またはインターフェースデバイス部等を用いながら行われるため、機能はプロセッサ部の少なくとも一部とされてもよい。機能を主体として説明された処理は、プロセッサ部あるいはそのプロセッサ部を有する装置が行う処理としてもよい。各機能の説明は一例であり、複数の機能が１つの機能にまとめられたり、１つの機能が複数の機能に分割されたりしてもよい。
【００３７】
図３は、図１のデータ処理装置のハードウェア構成の一例を示すブロック図である。
図３において、データ処理装置１００は、例えば、汎用コンピュータやサーバ等の計算機（およびその周辺機器）によって実現される。データ処理装置１００は、ＣＰＵ１１、メモリ１２、ＰＤＥＶ１３、入力デバイス１４、通信インターフェースデバイス１５および表示デバイス１６を備える。ＣＰＵ１１、メモリ１２、ＰＤＥＶ１３、入力デバイス１４、通信インターフェースデバイス１５および表示デバイス１６は、バス１７を介して接続される。通信インターフェースデバイス１５は、ネットワーク１０７を介して電力需要シミュレータ１０６および電力系統シミュレータ１０５に接続されている。ネットワーク１０７は、インターネットなどのＷＡＮ（Ｗｉｄｅ  Ａｒｅａ  Ｎｅｔｗｏｒｋ）であってもよいし、ＷｉＦｉまたはイーサネット（登録商標）などのＬＡＮ（Ｌｏｃａｌ  Ａｒｅａ  Ｎｅｔｗｏｒｋ）であってもよいし、ＷＡＮとＬＡＮが混在していてもよい。
【００３８】
ＣＰＵ１１は、ＰＤＥＶ１３に記憶された１つ以上のプログラムを読み込んで実行することによって、詳細度形式データＤ２に基づいて、電力需要データセットＤ１の詳細度を算出し、その算出した詳細度に基づいて連携シミュレーションに必要な詳細度となるよう電力需要データセットＤ１を変換後電力需要データセットＤ４に変換して出力する。このとき、ＣＰＵ１１は、図１の詳細度判定部１０１、データ詳細度変換部１０２および通知部１０４の機能を実現することができる。ＣＰＵ１１の代わりに、１つまたは複数の半導体チップで構成される演算処理装置が採用されてもよい。ＣＰＵ１１で実行されるプログラムは、プログラムソースからインストールされてもよいし、ファームウェアとしてデータ処理装置１００に組み込まれていてもよい。プログラムソースは、例えば、プログラム配布計算機または計算機が読み取り可能な記録媒体（例えば、非一時的な記録媒体）であってもよい。
【００３９】
メモリ１２は、例えば、ＲＡＭ（Ｒａｎｄｏｍ  Ａｃｃｅｓｓ  Ｍｅｍｏｒｙ）であって、ＰＤＥＶ１３から読み出されたプログラムやＣＰＵ１１による演算過程のデータセット等を一時的に記憶する。
【００４０】
ＰＤＥＶ１３は、例えば、ＨＤＤまたはＳＳＤであって、ＣＰＵ１１が実行するプログラムや、データ処理装置１００における各種データセット（例えば、詳細度形式データＤ２、詳細度データセットＤ３および変換後電力需要データセットＤ４）等を記憶する。
【００４１】
入力デバイス１４は、例えば、キーボードスイッチ、マウス等のポインティングデバイス、タッチパネル、音声指示デバイス、または、視線移動と瞬きの検知による非接触型入力装置等の少なくとも何れかであって、ユーザによる操作に応じて、データセットをデータ処理装置１００に入力する（例えば、電力需要データセットＤ１）。
【００４２】
このとき、データ処理装置１００は、シミュレーションによって算出された電力需要情報を含む電力需要データセットＤ１を、入力デバイス１４を介して取得することができる。例えば、少なくとも１つの電力需要データ項目に対応した値が入力され、定期的にまたは不定期的に、少なくとも１つの電力需要データ項目に対応した電力需要データを含んだ電力需要データセットＤ１がデータ処理装置１００に入力される。
【００４３】
通信インターフェースデバイス１５は、外部との通信を制御する機能を備えるハードウェアである。通信インターフェースデバイス１５は、ネットワーク１０７を介して電力需要シミュレータ１０６および電力系統シミュレータ１０５に接続される。通信インターフェースデバイス１５は、電力需要シミュレータ１０６から電力需要データセットＤ１を受信したり、詳細度データセットＤ３および変換後電力需要データセットＤ４を電力系統シミュレータ１０５に送信したりすることができる。
【００４４】
表示デバイス１６は、例えば、ディスプレイやプリンタであって、データ処理装置１００におけるユーザ操作のための画面等を表示したり、詳細度データセットＤ３および変換後電力需要データセットＤ４を表示したりする。
【００４５】
なお、ＣＰＵ１１は、プロセッサ部の一例である。メモリ１２およびＰＤＥＶ１３は、記憶部の一例である。通信インターフェースデバイス１５は、インターフェースデバイス部の一例である。
【００４６】
図４は、図１のデータ処理装置の詳細度形式整合処理を示すフローチャートである。
図４のＳ１において、図１の詳細度判定部１０１は、詳細度形式データＤ２に基づいて、電力需要データセットＤ１についての詳細度判定処理を行う。これにより、詳細度データセットＤ３が生成される。
【００４７】
次に、Ｓ２において、データ詳細度変換部１０２は、詳細度データセットＤ３に基づいて、電力需要データセットＤ１についての詳細度変換処理を行う。これにより、変換後電力需要データセットＤ４が生成される。
【００４８】
次に、Ｓ３において、通知部１０４は、変換後電力需要データセットＤ４が示す電力需要データの変換結果を表示する。
【００４９】
図５は、図４の詳細度判定処理を示すフローチャートである。
図５のＳ１１において、詳細度判定部１０２は、詳細度形式データＤ２を記憶部１０３から読み出し、詳細度形式データＤ２を参照する。
【００５０】
次に、Ｓ１２において、詳細度判定部１０２は、電力需要データセットＤ１が既に得られているか否かを判断する。電力需要データセットＤ１が既に得られていない場合は、電力需要データセットＤ１が得られるまで、Ｓ１２の判断を繰り返す。詳細度判定部１０２は、電力需要データセットＤ１が得られると、Ｓ１３に進む。
【００５１】
次に、Ｓ１３において、詳細度判定部１０２は、電力需要データセットＤ１を、例えば、図３のＰＤＥＶ１３からメモリ１２に読み出す。
【００５２】
次に、Ｓ１４において、詳細度判定部１０２は、すべての電力需要データについてデータ詳細度を算出したか否かを判断する。詳細度判定部１０２は、すべての電力需要データについてデータ詳細度を算出していない場合、Ｓ１５に進む。
【００５３】
次に、Ｓ１５において、詳細度判定部１０２は、データ詳細度を算出していないいずれかの電力需要データを選択する。
【００５４】
次に、Ｓ１６において、詳細度判定部１０２は、詳細度形式データＤ２の参照結果に基づいて、Ｓ１５において選択した電力需要データに関してデータ詳細度を算出する。詳細度判定部１０２は、すべての電力需要データについてデータ詳細度を算出するまで、Ｓ１４からＳ１６の処理を繰り返す。詳細度判定部１０２は、すべての電力需要データについてデータ詳細度を算出すると、Ｓ１７に進む。
【００５５】
次に、Ｓ１７において、詳細度判定部１０２は、各電力需要データのデータ詳細度を示す詳細度データセットＤ３を作成し、詳細度データセットＤ３を出力する。このとき、詳細度判定部１０２は、詳細度データセットＤ３を記憶部１０３に格納したり、通知部１０４に出力したりすることができる。なお、通知部１０４は、詳細度データセットＤ３を図３の表示デバイス１６等に表示してもよい。
【００５６】
図６は、図４の詳細度変換処理を示すフローチャートである。
図６のＳ２１において、図１のデータ詳細度変換部１０３は、電力需要データセットＤ１と詳細度データセットＤ３を取得する。このとき、データ詳細度変換部１０３は、記憶部１０３から電力需要データセットＤ１を取得するようにしてもよいし、電力需要シミュレータ１０６から電力需要データセットＤ１を取得するようにしてもよい。また、データ詳細度変換部１０３は、記憶部１０３から詳細度データセットＤ３を取得するようにしてもよいし、詳細度判定部１０２から詳細度データセットＤ３を取得するようにしてもよい。
【００５７】
次に、Ｓ２２において、データ詳細度変換部１０３は、詳細度を一致させる基準となる基準詳細度を選定する。この選定方法としては、例えば、電力系統シミュレータに実施させるシミュレーションに必要な詳細度を、記憶部１０３から取得してもよいし、入力部から数値入力で指定してもよい。
【００５８】
次に、Ｓ２３において、データ詳細度変換部１０３は、すべての電力需要データについてデータ詳細度の一致処理を実施したか否かを判断する。データ詳細度変換部１０３は、すべての電力需要データについてデータ詳細度の一致処理を実施していない場合、Ｓ２４に進む。
【００５９】
次に、Ｓ２４において、データ詳細度変換部１０３は、電力需要データの詳細度を変換していないいずれかの電力需要データを選択する。
【００６０】
次に、Ｓ２５において、データ詳細度変換部１０３は、詳細度データセットＤ３が示す複数の詳細度が基準詳細度と一致するように電力需要データの詳細度を変換する。詳細度の変換方法としては、例えば、複数の詳細度のうちの詳細度を上げる場合には統計データの代表値を用いて補完する方法を採用することができる。また、例えば、詳細度を下げる場合には、不必要なデータを削除する方法を採用することができる。補完のための基準として、需要の種別（エリアの電気自動車需要、ショッピングモールなど）や規模情報（例えば、エリアの電気自動車需要における電気自動車の台数、ショッピングモールにおける不動産登記簿による事業所の情報（延べ床面積など））を入力することによって、対応する予め定めた代表値を選択する処理としてもよい。これらの変換処理は、入力がない場合には過去データに基づいて算出した代表値を挿入してもよいし、変換方法の選択肢を表示部に表示し、入力部からプルダウンリストなどで指定してもよい。
【００６１】
データ詳細度変換部１０３は、すべての電力需要データについて基準詳細度と一致するように電力需要データの詳細度を変換するまで、Ｓ２３からＳ２５の処理を繰り返す。データ詳細度変換部１０３は、すべての電力需要データについて基準詳細度と一致するように電力需要データの詳細度を変換すると、Ｓ２６に進む。
【００６２】
次に、Ｓ２６において、データ詳細度変換部１０３は、変換後電力需要データセットＤ４を出力する。このとき、データ詳細度変換部１０３は、変換後電力需要データセットＤ４を記憶部１０３に格納したり、通知部１０４に出力したりすることができる。なお、通知部１０４は、変換後電力需要データセットＤ４を図３の表示デバイス１６等に表示してもよい。
【００６３】
図７は、図１の詳細度データセットに対する変換条件の表示例を示す図である。
図７において、電力需要データＡは、データ項目として、需要量のみを含むものとする。このとき、図１の詳細度判定部１０１は、図２の詳細度形式データＤ２を参照し、図２の詳細度形式データＤ２の各詳細度１〜４に含まれるデータ項目と、電力需要データＡのデータ項目とを比較する。そして、詳細度判定部１０１は、電力需要データＡのデータ項目と一致するデータ項目を持つ詳細度を詳細度形式データＤ２から選択する。詳細度形式データＤ２では、データ項目として需要量のみを含む詳細度は１と定められているので、詳細度判定部１０１は、電力需要データＡの詳細度を１と判断する。
【００６４】
また、電力需要データＢは、データ項目として、需要量、需要減少可能量および需要増加可能量のみを含むものとする。このとき、詳細度判定部１０１は、図２の詳細度形式データＤ２を参照し、図２の詳細度形式データＤ２の各詳細度１〜４に含まれるデータ項目と、電力需要データＢのデータ項目とを比較する。そして、詳細度判定部１０１は、電力需要データＢのデータ項目と一致するデータ項目を持つ詳細度を詳細度形式データＤ２から選択する。詳細度形式データＤ２では、データ項目として需要量、需要減少可能量および需要増加可能量のみを含む詳細度は２と定められているので、詳細度判定部１０１は、電力需要データＢの詳細度を２と判断する。
【００６５】
このとき、詳細度判定部１０１は、電力需要データＡについての詳細度１という詳細度データと、電力需要データＢについての詳細度２という詳細度データを、詳細度データセットＤ３とすることができる。
【００６６】
次に、データ詳細度変換部１０３は、基準詳細度として３を選定したものとする。このとき、データ詳細度変換部１０３は、電力需要データＡの詳細度を１から３に変換し、電力需要データＢの詳細度を２から３に変換する。
【００６７】
データ詳細度変換部１０３は、電力需要データＡの詳細度を１から３に変換するために、詳細度３のデータ項目を持つように電力需要データＡに不足しているデータ項目を補完する。図２の詳細度形式データＤ２に示すように、詳細度３では、データ項目として、需要量だけでなく、需要減少可能量、需要増加可能量、需要減少変化可能量および需要減少変化可能量を持つ。このため、データ詳細度変換部１０３は、需要減少可能量、需要増加可能量、需要減少変化可能量および需要減少変化可能量というデータ項目を電力需要データＡに補完する。
【００６８】
データ詳細度変換部１０３は、需要減少可能量および需要増加可能量というデータ項目を電力需要データＡに補完するために、詳細度２情報変換条件を参照することができる。詳細度２情報変換条件として、例えば、需要量の１０％という条件が設定されているものとすると、データ詳細度変換部１０３は、需要量の１０％を需要減少可能量および需要増加可能量に設定することができる。
【００６９】
データ詳細度変換部１０３は、需要減少変化可能量および需要減少変化可能量というデータ項目を電力需要データＡに補完するために、詳細度３情報変換条件を参照することができる。詳細度３情報変換条件として、例えば、需要量の５％という条件が設定されているものとすると、データ詳細度変換部１０３は、需要量の５％を需要減少変化可能量および需要減少変化可能量に設定することができる。
【００７０】
データ詳細度変換部１０３は、電力需要データＢの詳細度を２から３に変換するために、詳細度３のデータ項目を持つように電力需要データＢに不足しているデータ項目を補完する。図２の詳細度形式データＤ２に示すように、詳細度３では、データ項目として、需要量、需要減少可能量および需要増加可能量だけでなく、需要減少変化可能量および需要減少変化可能量を持つ。このため、データ詳細度変換部１０３は、需要減少変化可能量および需要減少変化可能量というデータ項目を電力需要データＢに補完する。
【００７１】
データ詳細度変換部１０３は、需要減少変化可能量および需要減少変化可能量というデータ項目を電力需要データＢに補完するために、詳細度３情報変換条件を参照することができる。詳細度３情報変換条件として、例えば、需要量の５％という条件が設定されているものとすると、データ詳細度変換部１０３は、需要量の５％を需要減少変化可能量および需要減少変化可能量に設定することができる。
【００７２】
このとき、図７に示すように、図３の表示デバイス１６の表示画面１０８には、基準詳細度が３のときの詳細度データセットＤ３に対する変換条件が表示される。
【００７３】
なお、電力需要データＡについての詳細度２情報変換条件および詳細度３情報変換条件は、電力需要データＡから算出可能な条件式で与えることができる。また、電力需要データＢについての詳細度３情報変換条件は、電力需要データＢから算出可能な条件式で与えることができる。これにより、データ詳細度変換部１０３は、電力需要データＡの情報に基づいて、電力需要データＡに不足するデータ項目を補完し、電力需要データＢの情報に基づいて、電力需要データＢに不足するデータ項目を補完することができる。
【００７４】
図８は、図３の表示デバイスに表示される詳細度補完条件の入力画面の一例を示す図である。
図８において、図３の表示デバイス１６には、図７の詳細度２情報変換条件および詳細度３情報変換条件を設定するための表示画面１０９が表示される。表示画面１０９は、詳細度２情報変換条件および詳細度３情報変換条件を設定するための補間条件がプルダウンリストで表示される。そして、作業者は、表示画面１０９に表示されたプルダウンリストから補間条件を選択することで、図７の詳細度２情報変換条件および詳細度３情報変換条件を設定することができる。
【００７５】
図９は、図３の表示デバイスに表示される変換後電力需要データの表示画面の一例を示す図である。なお、図９の例では、図７の電力需要データＡに対する変換後電力需要データを示した。
図９において、図３の表示デバイス１６の表示画面１１０には、変換後電力需要データセットＤ４が示すデータの変換結果が表示される。
【００７６】
ここで、図１のデータ詳細度変換部１０３は、図７の電力需要データＡについての詳細度２情報変換条件および詳細度３情報変換条件を参照する。ここで、詳細度２情報変換条件は、需要量の１０％であるので、データ詳細度変換部１０３は、各時刻ごとに需要量の１０％の値を算出し、需要減少可能量および需要増加可能量に設定する。また、詳細度３情報変換条件は、需要量の５％であるので、データ詳細度変換部１０３は、各時刻ごとに需要量の５％の値を算出し、需要減少変化可能量および需要増加変化可能量に設定する。
【００７７】
これにより、作業者に対して、電力需要データが電力系統解析に用いられることを伝達できる。表示方法としては、詳細度判定部１０２によって判定された詳細度と、変換した詳細度を並べて表示することや、変換処理で電力需要データセットＤ１に対して追加された情報を太字や色で強調表示することなどによって、作業者に対する処理の伝達効果を向上させることができる。
【００７８】
なお、表示画面１１０は、変換結果に加えて、詳細度を向上させるために必要な追加情報と、それによって期待される効果（使用できる需要の調整力を示すモデルとその精度、可能となるシミュレーションの種類、解析情報の信頼性）などをさらに表示してもよい。これにより、作業者の判断を支援することができる。
【００７９】
以上説明したように、上述したデータ処理装置１００によれば、詳細度形式データＤ２に基づいて、電力需要データの情報量の多さを表す度合であるデータ詳細度を算出し、算出したデータ詳細度に基づいて連携シミュレーションに必要な詳細度となるよう電力需要データを変換することによって、電力需要シミュレータ１０６と電力系統シミュレータ１０５間のデータセットの授受を可能とし、電力エネルギーマネジメントに関する統合解析の負荷を低減することができる。
【００８０】
図１０は、図３の表示デバイスに表示される詳細度の入力形式の表示画面の一例を示す図である。
図１０において、表示画面１１１には、各詳細度に対応する項目が表示されている。さらに、表示画面１１１上で各詳細度の表に関して、マウスのポインタを重ねたり、タッチパネルで項目を選択した際に、ポップアップでデータの形式が表示されてもよい。また、入力形式の画面表示の際には、選択したシミュレーションの時間範囲に対応して、ポップアップデータ内の時刻表示が変更されてもよいし、データの行数を表示してもよい。
【００８１】
これにより、手作業や電力需要シミュレータ１０６の使用による電力需要データセットＤ１の作成を支援し、電力需要データのデータ連携作業を簡易化することができる。
【００８２】
なお、本実施形態のデータ処理装置１００を、クラウドサービスを提供するクラウドサーバに搭載することにより、クラウドサービスによる電力系統解析支援サービスを提供することができる。このような電力系統解析支援サービスでは、クラウドサーバを所有するデータ管理者が、電力系統解析を用いて需要制御の運用計画を立案する需要制御運用者に対して、変換後電力需要データセットＤ４を用いた電力系統解析処理によって生成された系統解析データを、クラウドネットワークを介して提供する。そして、需要制御の運用者は、提供された系統解析データに基づいて、運用計画を実施することができる。このような電力系統解析支援サービスによれば、より多様な提供先に系統解析データを提供することができる。
【００８３】
このクラウドサービスにおいて、電力需要データセットＤ１とともに、電力需要データの流用可否を入力することで、流用可能な電力需要データについて詳細度別に記憶部に記憶することができ、より多種多数の電力需要データのシミュレーションデータを収集および記録することができる。このようなクラウドサービスによれば、より多くの電力需要データを収集および整理することが可能となり、より多様な提供先に系統解析データを提供することができる。
【００８４】
また、収集した電力需要データを基に、詳細度を一致させるために使用する変換基準を更新してもよい。例えば、収集した電力需要データについて、需要量に対する需要減少可能量の割合の平均値を取ることによって、需要減少可能量の選択肢の数値を更新してもよい。これにより、詳細度を変換する際、より多様なデータに基づいて電力需要データを補完できるため、より具体的なシミュレーションに好適な電力需要データを提供することができる。
【００８５】
以上、本発明の実施形態を説明したが、これらの実施形態は、本発明の説明のための例示であって、本発明の範囲をこれらの実施形態にのみ限定する趣旨ではない。本発明は、他の種々の形態でも実行することが可能である。
【００８６】
例えば、上述した実施形態では、データ処理装置１００に入力された電力需要データの詳細度を出力先で要求される詳細度に変換する方法について説明したが、電力需要データ以外にも、制御データまたは監視データなどの他の様々な入力データの詳細度を出力先で要求される詳細度に変換し、入力データの詳細度を出力先で要求される詳細度と整合させるようにしてもよい。
【００８７】
また、上述した実施形態では、電力需要データがシミュレーションデータである場合を例にとったが、電力需要データは実測データであってもよい。また、上述した実施形態では、シミュレーションの連携化を実現するために、電力需要データの詳細度を変換する方法について説明したが、シミュレーション以外の処理の連携化を実現するために、その処理に用いられるデータの詳細度を変換するようにしてもよい。
【符号の説明】
【００８８】
１００：データ処理装置、１０１：詳細度判定部、１０２：データ詳細度変換部、１０３：記憶部、Ｄ１：電力需要データセット、Ｄ２：詳細度形式データ、Ｄ３：詳細度データセット、Ｄ４：変換後電力需要データセット
【図１】
2020089067.tif 000003
【図２】
2020089067.tif 000004
【図３】
2020089067.tif 000005
【図４】
2020089067.tif 000006
【図５】
2020089067.tif 000007
【図６】
2020089067.tif 000008
【図７】
2020089067.tif 000009
【図８】
2020089067.tif 000010
【図９】
2020089067.tif 000011
【図１０】
2020089067.tif 000012